(57)【要約】【課題】回転ドア装置において、通行量が多くなっても円滑な通行ができるように構成する。【解決手段】回転中心となる支軸に三枚の仕切りパネル４、５、６を設けたドア体を、出入り口部２ｂ、２ｃが形成される出入り方向の第一長さＬ１を筒壁体２の最大径とし、該出入り方向に直交する幅方向の第二長さＬ２を筒壁体２の最小径とする筒壁体２内に設けて、出入り口部の開口幅を第一長さＬ１を基準として大きく確保する一方、各仕切りパネル４、５、６を、径方向に分割した内、外分割体同士４ａ、５ａ、６ａ、４ｂ、５ｂ、６ｂを折曲手段４ｃ、５ｃ、６ｃにより折曲自在に連結し、回転位置に伴い変化する筒壁体２の径に対応して伸長姿勢と折曲姿勢とに変姿するように構成する。【選択図】図１
2008248562.tif 000002
【特許請求の範囲】
【請求項１】
回転中心となる支軸に放射方向に延出する三枚の仕切りパネルを所定の角度間隔を存して固定したドア体を、筒壁体の筒中心に回転自在に設けてなる回転ドア装置において、筒壁体を、出入り口部が形成される出入り方向の径を筒壁体の最大径として、該出入り方向に直交する幅方向の径を筒壁体の最小径として形成し、出入り口部の開口幅を最大径を基準として大きく確保する一方、各仕切りパネルを、径方向に分割した分割体同士を折曲手段により折曲自在に連結して構成し、回転位置に伴い変化する筒壁体の径に対応して分割体同士が径方向に伸長する伸長姿勢と折曲姿勢とに変姿するように構成した回転ドア装置。
【請求項２】
筒壁体は、出入り口部における開口幅が筒壁体の最小径を直径とする真円において９０度の角度範囲で設定される長さに近似するように設定されている請求項１に記載の回転ドア装置。
【請求項３】
仕切りパネルは、二分割構成とし、伸長姿勢の仕切りパネルの径方向長さを最大径の半分の長さに近似するよう構成するとともに、内径側の分割体の径方向長さを筒壁体の最小径の半分よりも短い長さに構成した請求項１または２に記載の回転ドア装置。
【請求項４】
折曲手段は、外径側の分割体をドア体の回転方向後側に向けて折曲するよう構成されるとともに、伸長姿勢に向けて付勢する付勢手段が設けられている請求項１乃至３の何れか１項に記載の回転ドア装置。
【発明の詳細な説明】
【技術分野】
【０００１】
本発明は、ビル等の建築物の出入り口部に設けられる回転ドア装置の技術分野に属するものである。
【背景技術】
【０００２】
一般に、回転ドア装置は、回転中心となる支軸に所定の角度間隔を存して放射方向に延出する三枚の仕切りパネルが固定されたドア体を、真円による筒形状に形成された筒壁体の筒中心に回転自在に設けることにより構成されている。前記回転ドア装置の主たる機能の一つとしては、回転ドア装置の屋内外の連通状態を遮断して屋内の気密性を保持しながら屋内外の出入りが可能な構成とすることがある。
【０００３】
ところで、前記構成を満足するためには、ドア体に設けられる仕切りパネルの枚数と、筒壁体の出入り口部における周回り方向の角度範囲（開口幅）との関係を予め設定することになり、仕切りパネルの枚数を四枚とした場合では、出入り口部の角度範囲は、例えば特許文献１に示すように、最大９０度に設定することができる。
【特許文献１】特開２００２−１９４９５９号公報
【発明の開示】
【発明が解決しようとする課題】
【０００４】
これに対し、仕切りパネルの枚数を三枚とした場合では、図４に示すように、三枚の第一、第二、第三仕切りパネル１０、１１、１２が１２０度の角度間隔で支軸３ａに固定されるため、出入り口部２ｂ、２ｃを一点鎖線Ｘで示す９０度の角度範囲として設定して形成すると、例えば第一仕切りパネル１０が、二点鎖線で示すように、一方（屋外側）の出入り口部２ｃの回転方向先側に位置して屋外側の出入り口部２ｃを開放している状態では、前記第一仕切りパネル１０の回転方向先側に位置する第二仕切りパネル１１が屋内側の（他方の）出入り口部２ｂを開放しており、これによって、出入り口部２ｂ、２ｃの右側において連通状態となり、屋内外の気密が維持されなくなってしまう。このため、三枚の第一、第二、第三仕切りパネル１０、１１、１２を備えたドア体を用いて屋内外の気密性を維持しながら回転させる場合では、出入り口部２ｂ、２ｃを実線Ｙで示す６０度の角度範囲として設定することが要求される。
この結果、同径に設定された筒壁体内に、四枚の仕切りパネルを備えたドア体と、三枚の仕切りパネルを備えたドア体の何れかを設ける場合に、各仕切りパネルの径方向長さは同じであるが故に、隣接する仕切りパネルとの間に形成されるコンパートメントの面積は、三枚の仕切りパネルを設けたドア体を用いる場合の方が大きくなる。従って、三枚の仕切りパネルを設けたドア体の方が各コンパートメントに収容する人数を多くすることができるが、出入り口部の開口幅は、四枚の仕切りパネルを設けたドア体を用いる場合よりも小さく設定しなければならず、矛盾があり、三枚の仕切りパネルを設けたドア体を用いた場合では、各出入り口部においてコンパートメントに進入する人、退出する人との両者で混み合う惧れがあって問題がある。そこで、三枚の仕切りパネルを設けたドア体を用い、かつ、大きな開口を備えた出入り口部を確保することにより、通行量が多くなっても円滑な出入りが可能になる回転ドア装置とすることができると想定され、ここに本発明の解決すべき課題がある。
【課題を解決するための手段】
【０００５】
本発明は、上記の如き実情に鑑みこれらの課題を解決することを目的として創作されたものであって、請求項１の発明は、回転中心となる支軸に放射方向に延出する三枚の仕切りパネルを所定の角度間隔を存して固定したドア体を、筒壁体の筒中心に回転自在に設けてなる回転ドア装置において、筒壁体を、出入り口部が形成される出入り方向の径を筒壁体の最大径として、該出入り方向に直交する幅方向の径を筒壁体の最小径として形成し、出入り口部の開口幅を最大径を基準として大きく確保する一方、各仕切りパネルを、径方向に分割した分割体同士を折曲手段により折曲自在に連結して構成し、回転位置に伴い変化する筒壁体の径に対応して分割体同士が径方向に伸長する伸長姿勢と折曲姿勢とに変姿するように構成した回転ドア装置である。
請求項２の発明は、筒壁体は、出入り口部における開口幅が筒壁体の最小径を直径とする真円において９０度の角度範囲で設定される長さに近似するように設定されている請求項１に記載の回転ドア装置である。
請求項３の発明は、仕切りパネルは、二分割構成とし、伸長姿勢の仕切りパネルの径方向長さを最大径の半分の長さに近似するよう構成するとともに、内径側の分割体の径方向長さを筒壁体の最小径の半分よりも短い長さに構成した請求項１または２に記載の回転ドア装置である。
請求項４の発明は、折曲手段は、外径側の分割体をドア体の回転方向後側に向けて折曲するよう構成されるとともに、伸長姿勢に向けて付勢する付勢手段が設けられている請求項１乃至３の何れか１項に記載の回転ドア装置である。
【発明の効果】
【０００６】
請求項１の発明とすることにより、三枚の仕切りパネルにより大きなコンパートメントを備えたドア体を設けた回転ドア装置の出入り口部を、大きな開口幅に設定することができ、通行量が多くても通行者に威圧感を与えることなく円滑な通行を実現でき、しかも、直線的な通行が可能となって、使用感のよい回転ドア装置とすることができる。
請求項２の発明とすることにより、出入り口部の開口幅を大きく確保することができて、一層円滑な通行ができる。
請求項３の発明とすることにより、各仕切りパネルの折曲姿勢と伸長姿勢との変姿が円滑で、作動性のよい回転ドア装置にできる。
請求項４の発明とすることにより、各仕切りパネルの姿勢変姿を作動性よく行えるうえ、外径側の分割体が回転方向後側に回転するので、一層円滑な回転作動が実現でき、しかも、挟み込みの防止を行うこともできる。
【発明を実施するための最良の形態】
【０００７】
つぎに、本発明の実施の形態について、図面に基づいて説明する。
図面において、１は回転ドア装置であって、該回転ドア装置１を構成する筒壁体２は、床面と天井面とのあいだに一体に配される円筒状の本体部２ａを備えて構成されており、屋内外に位置して径方向に対向する出入り口部２ｂ、２ｃが切り欠き形成されている。そして、前記各出入り口部２ｂ、２ｃの上方には、上側壁体２ｄがそれぞれ形成されている。
【０００８】
前記筒壁体２は、本実施の形態では、出入り口部２ｂ、２ｃが形成される出入り方向の長さを筒壁体２の最大径となる第一径Ｌ１とし、前記出入り方向に直交する本体部２ａの幅方向の長さを筒壁体２の最小径となる第二径Ｌ２としたとき、第一径Ｌ１は第二径Ｌ２よりも長く（Ｌ１＞Ｌ２）なるように寸法設定されている。これによって、筒壁体２は、出入り方向に膨出した変形した円筒状に形成されるとともに、筒壁体２の径が回転位置に伴い随時変化するように設定されている。
このように形成された筒壁体２に対し、出入り口部２ｂ、２ｃの周回り方向幅Ｌ３は、最大径である第一径Ｌ１を基準とするべく、第一径Ｌ１を直径とする真円において６０度の角度範囲により設定される長さに設定されており、該出入り口部２ｂ、２ｃの周回り方向幅Ｌ３は、第二径Ｌ２を直径とする真円において９０度の角度範囲で設定される周回り方向幅Ｌ４と略等しく（Ｌ３≒Ｌ４）近似する長さに設定され、これによって、後述するように、ドア体３に三枚の仕切りパネル４、５、６を設けて出入り口部２ｂ、２ｃの連通状態を遮断する構成として、出入り口部２ｂ、２ｃにおける角度範囲を６０度に設定する必要があるものでありながら、筒壁体２の幅方向における第二径Ｌ２に対する出入り口部２ｂ、２ｃの開口幅を大きく確保できるように構成されている。しかも、筒壁体２の幅方向の第二径Ｌ２が出入り方向の第一径Ｌ１よりも短いので、筒壁体２内における通行軌跡を出入り方向に直線状となるように設定されている。
【０００９】
一方、３は本発明のドア体であって、該ドア体３は支軸３ａを備えて構成されており、該支軸３ａは、上下両端部が床面と天井面との間に回転自在に軸承されるように設定されており、天井部に設けた図示しない駆動装置により所定の回転速度で、そして、所定の回転方向（図１において矢印方向）に回転するように設定されている。そして、支軸３ａの外周面には、三枚の第一、第二、第三仕切りパネル４、５、６の内径側縁部が１２０度の角度を存して固定されており、第一、第二、第三仕切りパネル４、５、６の各外径側縁部が放射方向に延出配設されており、これら隣接する一対の第一、第二、第三仕切りパネル４、５、６同士の間には、それぞれ第一、第二、第三コンパートメントＣ１、Ｃ２、Ｃ３がそれぞれ形成されている。
【００１０】
そして、前記第一、第二、第三仕切りパネル４、５、６は、内径側に位置する内径側分割体４ａ、５ａ、６ａと外径側に位置する外径側分割体４ｂ、５ｂ、６ｂとにそれぞれ二分割されており、これら内、外径側分割体４ａ、５ａ、６ａ、４ｂ、５ｂ、６ｂとは、それぞれ上、下端部においてそれぞれ折曲手段４ｃ、５ｃ、６ｃを用いて連結されている。そして、これら第一、第二、第三仕切りパネル４、５、６は、内、外径側分割体４ａ、５ａ、６ａ、４ｂ、５ｂ、６ｂ同士が径方向に面一状となって外径方向に伸長（延出）する伸長姿勢と、折曲手段４ｃ、５ｃ、６ｃを介して各分割体４ａ、５ａ、６ａ、４ｂ、５ｂ、６ｂ同士が互いに対向するよう折曲する折曲姿勢との間を揺動変姿するように設定されている。
ここで、第一、第二、第三仕切りパネル４、５、６の径方向の長さは、伸長姿勢において出入り口部２ｂ、２ｃに近接する長さ、即ち、筒壁体２の最大径となる第一径Ｌ１の略半分の長さに近似する長さに設定されており、また、内径側分割体４ａ、５ａ、６ａの径方向長さは、筒壁体２の最小径となる第二径Ｌ２の略半分よりも短い長さに設定されている。
【００１１】
尚、各仕切りパネル４、５、６の上下に位置するそれぞれの折曲手段４ｃ、５ｃ、６ｃのうち、下端部に位置する折曲手段４ｃ、５ｃ、６ｃは、支軸３に固定される内径側分割体４ａ、５ａ、６ａに対し外径側分割体４ｂ、５ｂ、６ｂをドア体３の回転方向後側に向けて折曲せしめる構成となっており、本実施の形態では、オートヒンジにより構成されている。さらに、前記下端部の折曲手段４ｃ、５ｃ、６ｃには、仕切りパネル４、５、６（内、外径側分割体４ａ、５ａ、６ａ、４ｂ、５ｂ、６ｂ）を伸長姿勢とする方向に付勢する付勢手段が設けられており、外径側分割体４ｂ、５ｂ、６ｂに対し付勢手段の付勢力を上回る負荷が作用した場合に、仕切りパネル４、５、６は、外径側分割体４ｂ、５ｂ、６ｂがドア体３の回転方向後側に折曲する折曲姿勢となり、外径側分割体４ｂ、５ｂ、６ｂへの負荷がなくなることに基づいて自動的に伸長姿勢に変姿するように構成されている。
一方、前記第一、第二、第三仕切りパネル４、５、６は、外径側分割体４ｂ、５ｂ、６ｂ上端面の外径側部位に位置してローラ４ｄ、５ｄ、６ｄがそれぞれ転動自在に軸承されている。
そして、第一、第二、第三仕切りパネル４、５、６は、筒壁体２に設置された状態において、各ローラ４ｄ、５ｄ、６ｄが、筒壁体２の上部であって、出入り口部２ｂ、２ｃ上方の上側壁体２ｄを含む本体部２ａにおけるリング状の上部内側面２ｅにそれぞれ弾圧状に突き当てられて、上部内側面２ｅを摺接するように設定されている。尚、上部内側面２ｅには、ローラ４ｄ、５ｄ、６ｄを内嵌状に支持して走行案内する走行レール（図示せず）が形成されている。
【００１２】
このように構成されたドア体３（第一、第二、第三仕切りパネル４、５、６）は、前記筒壁体２内の中央部に回転自在に軸承され、駆動装置の駆動に伴い回転することになるが、このとき、筒壁体２の上部内側面２ｅは、前述したように、第一径Ｌ１で設定される最大径と第二径Ｌ２で設定される最小径とにより真円ではない変形した円筒形状（リング状）に形成されており、これによって、上部内側面２ｅ（筒壁体２）は、周回り位置（回転位置）により径が随時変化するように構成されている。これに対し、第一、第二、第三仕切りパネル４、５、６は伸長姿勢側に向けて付勢される状態で折曲姿勢に変姿自在となっており、各ローラ４ｄ、５ｄ、６ｄが上部内側面２ｅに弾圧する状態で走行レールを摺動して回転作動する場合に、上部内側面２ｅの径が変化することに伴い、支軸３ｃから各仕切りパネル４、５、６の外径側縁部（ローラ４ｄ、５ｄ、６ｄ配設部）までの長さを変化させるべくローラ４ｄ、５ｄ、６ｄが強制的に内外径方向に変位することに基づいて、仕切りパネル４、５、６が強制的に折曲姿勢と伸長姿勢との間を変姿するように構成されている。この結果、ドア体３は、回転位置により径が異なる変形した円筒形状の筒壁体２内を、滞ることなく円滑に回転できるように構成されている。
【００１３】
つぎに、ドア体３の回転状態の詳細について、図２、図３の図面に基づいて説明する。
図２（Ａ）に示す状態において、第一仕切りパネル４は、右側の筒壁体本体部２ａの最小径となる幅方向の第二径Ｌ２となる部位に対向（位置）しており、このとき、第一仕切りパネル４は、ローラ４ｄが筒壁体上部内側面２ｅに押圧される状態で内径側分割体４ａに対し、外径側分割体４ｂが回転方向後側に向けて折曲されて、内径側分割体４と外径側分割体４ｂとが略直角をなす折曲姿勢となっている。一方、第二仕切りパネル５は伸長姿勢となって屋内側の出入り口部２ｂの回転方向先側に対向しており、第三仕切りパネル６は伸長姿勢となって屋外側の出入り口部２ｃの回転方向後側に対向する状態となっている。
そして、前記状態からドア体３が反時計回り方向に回転して図２（Ｂ）の状態となると、第一仕切りパネル４は、筒壁体本体部２ａの上部内側面２ｅが次第に大径となることに伴い折曲角度が大きくなる方向に変姿する。これに対し、第二仕切りパネル５は、ローラ５ｄが左側の筒壁体本体部２ａの上部内側面２ｅに押圧される状態となって内径側分割体５ａに対して外径側分割体５ｂが回転方向後側に向けて折曲する。また、第三仕切りパネル６は、屋外側出入り口部２ｃに対向する状態であって、伸長姿勢を維持して回転する。
【００１４】
さらに回転がなされると、図２（Ｃ）、（Ｄ）に示すように、第一、第二仕切りパネル４、５は折曲姿勢のまま、そして、第三仕切りパネル６は伸長姿勢のまま回転を続け、図２（Ｅ）に示すように、第三仕切りパネル６が屋外側の出入り口部２ｃの回転方向先側の側片に対向すると、第二仕切りパネル５が左側の筒壁体本体部２ａの最小径となる幅方向の第二径Ｌ２となる部位に対向する状態となる。このとき、第一仕切りパネル４は折曲姿勢となっており、内径側分割体４ａは、屋内側出入り口部２ｂの回転方向後側に向けて延出するが、外径側分割体４ｂは筒壁体２ａ側に対向しており、この状態においても、屋内外の出入り口部２ｂ、２ｃ同士が連通状態となることはない。
尚、図２（Ｅ）に至る過程において、第三仕切りパネル６と屋外側出入り口部２ｃの回転方向先側における側片との間に挟み込みが発生されることが問題となるが、このものでは、第三仕切りパネル６の外径側分割体６ｂに回転方向後側に向く負荷が作用することで折曲姿勢に変姿するので、挟み込みを未然に防止することができる。
前記状態から回転が進むと、図２（Ｆ）に示すように、第一仕切りパネル４が伸長姿勢となる一方で、第二、第三仕切りパネル５、６がそれぞれ折曲姿勢となり、図２（Ｇ）、（Ｈ）、図３（Ａ）に示す段階では、前記姿勢を維持する状態で回転する。そして、ドア体３は、第一、第二、第三仕切りパネル４、５、６が１２０度の回転ごとに前記回転状態を繰り返し、伸長姿勢、折曲姿勢に変姿しながら回転することにより、出入り方向と幅方向とで長さの異なる筒壁体２内において、出入り口部２ｂ、２ｃにおける連通状態を遮断しながら（気密性を保持しながら）、しかも、出入り口部２ｂ、２ｃにおいては回転方向先側の側片との間の挟み込みを防止する状態で回転するように設定されている。
【００１５】
叙述の如く構成された本形態において、回転ドア装置１は、支軸３ｃに三枚の第一、第二、第三仕切りパネル４、５、６が放射状に固定されたドア体３を、筒壁体２内を回転するよう構成されるが、この場合に、筒壁体２は、出入り口部２ｂ、２ｃが形成される出入り方向の径は最大径となる第一径Ｌ１で、幅方向の径は最小径となる第二径Ｌ２に設定されて、平面視で出入り方向に長い変形する円筒形状となっている。これに対し、第一、第二、第三仕切りパネル４、５、６を、それぞれ内、外径側分割体４ａ、５ａ、６ａ、４ｂ、５ｂ、６ｂ同士を折曲手段４ｃ、５ｃ、６ｃを介して折曲自在に連結して、伸長姿勢と折曲姿勢とに適宜変姿することにより、回転位置により径が異なる筒壁体２内を回転できるように構成されている。そして、出入り方向を最大径となる第一径Ｌ１とし、筒壁体２の幅方向を最小径となる第二径Ｌ２としたとき、出入り口部２ｂ、２ｃの開口幅を最大径の第一径Ｌ１を直径とする真円において６０度の角度範囲で設定することができる。これによって、三枚の第一、第二、第三仕切りパネル４、５、６により大きなコンパートメントＣ１、Ｃ２、Ｃ３を備えたドア体３としたものに対し、大きな開口幅に設定された出入り口部２ｂ、２ｃを形成したものでありながら、ドア体３による出入り口部２ｂ、２ｃの連通状態を遮断する機能（気密性）を維持することができることになって、各出入り口部２ｂ、２ｃにおいて任意のコンパートメントＣ１、Ｃ２、Ｃ３に進入する人、退出する人との両者で混み合うような不具合がなくなって、通行量が多くても、通行者に威圧感を与えることなく、円滑な通行が可能な回転ドア装置１を提供することができる。
そのうえ、筒壁体２の幅方向の第二径Ｌ２が出入り方向の第一径Ｌ１よりも短いので、各コンパートメントＣ１、Ｃ２、Ｃ３に進入して出入り口部２ｂ、２ｃを出入りする通行者の通行軌跡を略直線状にすることができて、通行者にとって違和感なく回転ドア装置１内を歩行できて、使い勝手のよい回転ドア装置１とすることができる。
【００１６】
このように、本発明が実施されたものにあっては、三枚の第一、第二、第三ドア体４、５、６により構成されるドア体３を用いた回転ドア装置１でありながら、出入り口部２ｂ、２ｃの開口幅を大きく確保できるものであるが、本実施の形態では、出入り方向を最大径となる第一径Ｌ１とし、筒壁体２の幅方向を最小径となる第二径Ｌ２としたとき、出入り口部２ｂ、２ｃの開口幅Ｌ３を、第一径Ｌ１を直径とする真円において６０度の角度範囲で設定される長さに設定されており、しかも、該開口幅Ｌ３が、筒壁体２の幅方向の長さである第二径Ｌ２を直径とする真円において９０度の角度範囲で設定される開口幅と略同様となっている。この結果、出入り口部２ｂ、２ｃの開口幅を大きく確保できて、一層円滑な通行ができる回転ドア装置１とすることができる。
【００１７】
そのうえ、このものでは、第一、第二、第三仕切りパネル４、５、６をそれぞれ二分割されるものとし、内径側分割体４ａ、５ａ、６ａの径方向長さを第二径Ｌ２の半分よりも短くなるように構成したので、第一、第二、第三仕切りパネル４、５、６それぞれの折曲姿勢と伸長姿勢との間の変姿が円滑で、作動性のよい回転ドア装置１とすることができる。
【００１８】
しかも、このものでは、内、外径分割体４ａ、５ａ、６ａ、４ｂ、５ｂ、６ｂの折曲手段４ｃ、５ｃ、６ｃは、外径側分割体４ｂ、５ｂ、６ｂが内径側分割体４ａ、５ａ、６ａに対してドア体３の回転方向後側に向けて折曲させる構成であるとともに、第一、第二、第三仕切りパネル４、５、６を伸長姿勢に付勢する付勢手段が設けられているので、第一、第二、第三仕切りパネル４、５、６の姿勢変姿を一層作動性よく円滑に行うことができるうえ、通行者に威圧感を与えることがなく、挟み込み防止としても機能することができる。
【図面の簡単な説明】
【００１９】
【図１】回転ドア装置を説明する概略平面図である。
【図２】図２（Ａ）、（Ｂ）、（Ｃ）、（Ｄ）、（Ｅ）、（Ｆ）、（Ｇ）、（Ｈ）はそれぞれ回転ドア装置の回転状態を説明する平面図である。
【図３】図３（Ａ）、（Ｂ）、（Ｃ）、（Ｄ）、（Ｅ）、（Ｆ）、（Ｇ）、（Ｈ）はそれぞれ回転ドア装置の回転状態を説明する平面図である。
【図４】従来の回転ドア装置のドア体と出入り口部の開口幅との関係を説明する平面図である。
【符号の説明】
【００２０】
１    回転ドア装置
２    筒壁体
２ｂ    屋内側出入り口部
２ｅ    上部内側面
３    ドア体
３ａ    支軸
４    第一仕切りパネル
４ａ    内径側分割体
４ｂ    外径側分割体
４ｃ    折曲手段
４ｄ    ローラ
５    第二仕切りパネル
６    第三仕切りパネル
【図１】
2008248562.tif 000003
【図２】
2008248562.tif 000004
【図３】
2008248562.tif 000005
【図４】
2008248562.tif 000006